(57)【特許請求の範囲】
【請求項１】
長方形の板状の外装材であって、
室内側面に固定された２本のレールと、建物の柱に固定するための胴縁とを有し、
各レールは、断面がＴ字状をなし、互いに間隔をあけて、前記外装材の上下の縁に平行に横方向に伸びており、
前記胴縁は、各レールを挟んで各レールと係合するガイドを有し、各レールと垂直方向に伸びて胴縁側面方向にスライド可能に設けられていることを、
特徴とする外装材。
【請求項２】
板状の複数の外装材の室内側に断熱材を配置して成る建物の断熱構造において、
各外装材は請求項１記載の外装材から成り、各外装材は隣合う外装材と縁部を接して設けられ、隣合う外装材との境界に沿って室外側に溝を有し、前記溝に気密性コーキング材が充填されていることを、
特徴とする建物の断熱構造。
【請求項３】
各外装材は室内側面が胴縁を介して建物の柱に固定され、各断熱材は建物の柱間を塞ぐよう設けられ、前記胴縁と各柱および各断熱材との間に各柱および各断熱材を覆う気密性シートが設けられていることを、特徴とする請求項２記載の建物の断熱構造。
【発明の詳細な説明】
【０００１】
【発明の属する技術分野】
本発明は、外装材および建物の断熱構造に関する。
【０００２】
【従来の技術】
従来、建物の外装材の内面に、石綿材、ガラス繊維材、不織繊維材、合成樹脂繊維等を合成樹脂接着剤で所定の厚さで固めたものや、ハニカム構造にしたものなど板状の断熱材を貼りつけて断熱壁を形成することが行われている。これらの断熱材は、畳一帖ほどの大きさで、柱間に嵌合できるように両側の縁部に段部を形成してあり、柱間に嵌合されて柱との隣接面が接着剤で柱に接着されるようになっている。
【０００３】
【発明が解決しようとする課題】
しかしながら、従来の断熱構造では、断熱材や接着剤が次第に収縮することにより、断熱材と柱との間に隙間ができて気密性が悪くなり、断熱効果が落ちてくるという課題があった。また、従来の断熱構造では、通気性が悪いと、断熱材または外装材に湿気による結露を生じ、建物内部の構造材に悪影響を与える。このため、外装材の室内側には胴縁が設けられ、通気性を確保するようになっている。しかしながら、従来は、現場で胴縁を柱に固定してから、外装材を胴縁に固定するため、現場での作業が多く、施工に時間がかかるという課題があった。
【０００４】
本発明は、上述の従来の課題に着目してなされたもので、建物の断熱性を向上することができる建物の断熱構造および施工時間を短縮できる外装材を提供することを目的とする。
【００１１】
本発明に係る外装材は、長方形の板状の外装材であって、室内側面に固定された２本のレールと、建物の柱に固定するための胴縁とを有し、各レールは、断面がＴ字状をなし、互いに間隔をあけて、前記外装材の上下の縁に平行に横方向に伸びており、前記胴縁は、各レールを挟んで各レールと係合するガイドを有し、各レールと垂直方向に伸びて胴縁側面方向にスライド可能に設けられていることを、特徴とする。本発明に係る外装材では、胴縁が設けられているので、現場で胴縁に外装材を固定する必要がなく、施工時間を短縮できる。胴縁は、胴縁側面方向にスライドさせることにより、柱の位置に合わせて取り付けることができる。胴縁により通気層を設けることができるので、湿気による結露を防止することができる。
【００１２】
第１の本発明に係る建物の断熱構造は、板状の複数の外装材の室内側に断熱材を配置して成る建物の断熱構造において、各外装材は本発明に係る外装材から成り、各外装材は隣合う外装材と縁部を接して設けられ、隣合う外装材との境界に沿って室外側に溝を有し、前記溝に気密性コーキング材が充填されていることを、特徴とする。
第１の本発明に係る建物の断熱構造では、気密性コーキング材を溝に充填することにより、隣合う外装材との境界で気密性を保つことができる。
【００１３】
第２の本発明に係る建物の断熱構造は、第１の建物の断熱構造において、各外装材は室内側面が胴縁を介して建物の柱に固定され、各断熱材は建物の柱間を塞ぐよう設けられ、前記胴縁と各柱および各断熱材との間に各柱および各断熱材を覆う気密性シートが設けられていることを、特徴とする。
第２の本発明に係る建物の断熱構造では、気密性シートにより胴縁、外装材および気密性シートで囲まれる通気層の気密性を保つことができる。
【００１４】
本発明に係る建物の断熱構造は、建物の外装材の室内側に断熱材を設けて成る建物の断熱構造において、柱間に挿入配設する断熱材の両側面の柱に面する部分に気密性のパッキン材を介在させ、前記断熱材面と前記外装材の内側面との間に通気間隙を設けるように胴縁を配置し、該通気間隙の通気性によって内部に生じる湿気を除去し、断熱材面上に付着する結露を防止するようになっていることが好ましい。
【００１５】
本発明に係る建物の断熱構造では、前記柱間には、挿入配設する断熱材の両側面の柱に面する部分に気密性のパッキン材を介在させて前記断熱材面と前記外装材の内側面との間に通気間隙を設けるように胴縁を配置して成り、前記通気間隙の通気性によって内部に生じる湿気を除去し、断熱材面上に付着する結露を防止するようになっていてもよい。
【００１６】
また、本発明に係る建物の断熱構造では、前記断熱材の内側面の両側端縁に折曲げ可能なように薄板パッキン材を固着するとともにこの断熱材の柱面に接触する段面にパッキン材を配設してもよい。この場合、薄板パッキン材により、断熱材を柱に嵌合するときに柱との間に容易にパッキン材を介在させることができる。
【００１７】
また、本発明に係る建物の断熱構造では、前記断熱材の外装材側の面の相互に接触する端部に粘着性の室外側パッキン材を固着し、前記室外側パッキン材の張出部分を隣接する断熱材の外面に貼着して仮止め可能にしてもよい。仮止めを行うことにより、作業性を向上させることができる。
【００１８】
また、本発明に係る建物の断熱構造では、前記断熱材の外装材側の両側端面上に粘着性の接合材を貼着するとともに前記断熱材面と前記外装材の内側面との間に介在する胴縁を前記接合材に接着して形成してもよい。
【００１９】
【発明の実施の形態】
図面を参照して、本発明に係る建物の断熱構造の実施の形態を説明する。
本発明の建物の断熱構造は、図１に示すように、断熱材１と、外装材２と、柱３と、胴縁４とから構成されている。
【００２０】
使用する断熱材１は、石綿材、ガラス繊維材などの無機繊維、及び不織繊維材、合成樹脂繊維の有機繊維等を合成樹脂結着剤で固めた繊維材、発泡性物質からなる気泡性材、複数の板材を積層し、内部に空気層を設けた積層材、アルミニウム等の金属輝面または白色の面を有する反射性断熱材及び吸収断熱材などのいずれであってもよい。このような断熱材１は、所定の厚さの板材で、大きさは特定されないが、一般的には90×180cm 、厚さ10〜20cm程度である。
【００２１】
この断熱材１は、建物の柱間を塞ぐように設けられる。断熱材１の両側縁部には、図２に示すように、建物の柱３に嵌合するように嵌合切欠１ｃ，１ｃが設けられている。嵌合切欠１ｃ，１ｃは、柱３の柱間側面３ａに接する側部側端面１ｄおよび、柱の室外側側面３ｂに接する室内側端面１ｅを有する。縁部の室内側端部、すなわち、断熱材１の室内側面１ａの嵌合切欠１ｃとの稜線部に、気密・防湿性の薄板状パッキン材５が嵌合切欠１ｃ内に折り込み可能なように張り出して固着してある。薄板状パッキン材５は、側部側端面１ｄに沿って側部側端面１ｄ全体を覆うよう折曲げ可能な可撓性を有している。嵌合切欠１ｃの段部面、すなわち、室内側端面１ｅには、全体に気密・防湿性のパッキン材６が張り付けられている。これら薄板状パッキン材５やパッキン材６は、例えば、厚さ10〜15cm位のウレタンシートなどから成る。
【００２２】
また、断熱材１の室外側面１ｂ側の片側端部の稜線に、板状の室外側パッキン材７が張り出して設けられている。室外側パッキン材７は、シート状またはテープ状であって、気密性で折曲げ可能である。室外側パッキン材７は、両面接着の粘着テープから成り、室内側面および室外側面に粘着剤が付着されている。室外側パッキン材７の両面には、剥離紙を貼着してある。なお、図２では、室外側パッキン材７は、断熱材１の片側端に固着してあるが、変形例として、図４に示すように、断熱材１の両側端に固着してあってもよい。
【００２３】
断熱材１を利用した建物の断熱構造は、図１に示すように、板状の外装材２の室内側に断熱材１を配置して成っている。各外装材２は、隣合う外装材２と縁部を接して設けられ、隣合う外装材２との境界に沿って室外側に溝２ａを有している。外装材２は、合板などの木質材のほか、セラミック材から成ってもよい。
【００２４】
図１に示すように、断熱材１は、柱３，３の間に挿入、嵌合されている。断熱材１は、柱３，３間に挿入されるとき、両側の嵌合切欠１ｃ，１ｃに薄板状パッキン材５，５が折り込まれて、嵌合切欠１ｃ，１ｃが柱３，３と嵌合する。柱３，３は、気密性パッキン材６，６に密着する。同様にして、隣接する断熱材１を柱３間に挿入する。このとき、隣接する断熱材１，１は互いに縁部で接触し、各気密性パッキン材６，６は互いに密着する。これにより、柱３は、周囲片側が薄板状パッキン材５，５および気密性パッキン材６，６により覆われる。
【００２５】
このように、断熱材１は、柱３，３間に嵌合したとき、薄板状パッキン材５が柱３と縁部の側部側端面１ｄとの間に挟められるとともに、気密性パッキン材６，６が柱３に接するため、柱３と縁部の内側端面１ｅとの間に気密層が設けられ、建物の断熱性を向上することができる。特に、断熱材１が次第に収縮した場合でも、薄板状パッキン材５および気密性パッキン材６により柱３と縁部の嵌合切欠１ｃ，１ｃとの気密性を保つことができる。
【００２６】
断熱材１は、室外側面１ｂで室外側パッキン材７により、隣接する断熱材１に粘着、結合される。こうして、隣合う断熱材１との間で気密性を向上させることにより、建物の断熱性を向上することができる。
【００２７】
図３に示すように、胴縁４は、断熱材１の室外側面１ｂの、例えば断熱材１の隣接する位置に所定間隔で配置される。このとき、室外側パッキン材７の表面の剥離紙を剥がし、胴縁４は、室外側パッキン材７に仮止めされる。胴縁４の固定位置に問題がなければ、胴縁４は接着剤により接着または釘付けされる。これにより、胴縁４を仮止めすることができるので、全体の作業性が効率良くでき、短時間に外装を形成することができる。胴縁４，４によって通気間隙４ａを形成するとともに、胴縁４，４を介在させて外装材２を張り付け、建物の外装を形成する。溝２ａには、気密性コーキング材８が充填されている。気密性コーキング材８を溝２ａに充填することにより、隣合う外装材１との境界で気密性を保つことができる。
【００２８】
なお、図４に示す建物の断熱構造では、室外側パッキン材７，７は、断熱材１の室外側面１ｂ側の両側端部の稜線に張り出して設けられている。この場合、室外側パッキン材７，７を内側に折り曲げ、２つの断熱材１の隣合う室外側パッキン材７，７にまたがるように胴縁４を張り付ける。気密性を保つ材質で胴縁４を構成することにより、隣合う断熱材１の間の隙間の気密性を保つことができる。
【００２９】
なお、外装材２は、図５に示すような構造を有していてもよい。すなわち、外装材２は、長方形の板状であって、室内側面２ｂに２本のレール９が固定されている。各レール９は、断面がＴ字状をなし、互いに間隔をあけて、外装材２の上下の縁に平行に横方向に伸びている。胴縁４は、各レール９を挟んで各レール９と係合するガイド４ｂを有し、各レール９と垂直方向に伸びている。これにより、胴縁４は、各レール９に沿って、胴縁側面方向にスライド可能となっている。胴縁４は、外装材２を建物の柱３に固定するために用いられ、外装材２の室内側に通気間隙４ａを形成する。
【００３０】
図５に示す外装材２では、胴縁４が予め設けられているので、現場で胴縁に外装材を固定する必要がなく、施工時間を短縮できる。胴縁４は、胴縁側面方向にスライドさせることにより、柱３の位置に合わせて取り付けることができる。胴縁４により通気層を設けることができるので、湿気による結露を防止することができる。
【００３１】
建物の断熱構造の変形例では、図６に示すように、各外装材２は室内側面２ｂが胴縁４を介して建物の柱３に固定されている。各断熱材１は、建物の柱３の間を塞ぐよう、それらの間に設けられている。胴縁４と各柱３および各断熱材１との間には、各柱３および各断熱材１を覆う気密性シート１０が設けられている。図６に示す断熱構造では、気密性シート１０により胴縁４、外装材２および気密性シート１０で囲まれる通気層の気密性を保つことができる。
【００３２】
【発明の効果】
本発明によれば、建物の断熱性を向上することができる建物の断熱構造および施工時間を短縮できる外装材を提供することができる。
【図面の簡単な説明】
【図１】本発明に係る建物の断熱構造を示す平面図である。
【図２】図１の建物の断熱構造に使用する断熱材の平面図である。
【図３】図１に示す断熱構造の施工途中を示す平面図である。
【図４】本発明に係る建物の断熱構造の変形例を示す平面図である。
【図５】図１の建物の断熱構造に使用可能な外装材の（Ａ）正面図、（Ｂ）左側面図である。
【図６】本発明に係る建物の断熱構造の他の変形例を示す横断面図である。
【符号の説明】
１    断熱材
２    外装材
３    柱
４    胴縁
５    薄板状パッキン材
６    パッキン材
７    室外側パッキン材
８    コーキング材
９    レール
１０    気密性シート
【図１】
0004827151.tif 000002
【図２】
0004827151.tif 000003
【図３】
0004827151.tif 000004
【図４】
0004827151.tif 000005
【図５】
0004827151.tif 000006
【図６】
0004827151.tif 000007